(57)【特許請求の範囲】
【請求項１】
ATM（Asynchronous Transfer Mode）網のVP（Virtual Path）/VC（Virtual Chanel）による仮想通信チャネルを用いて通信相手装置と通信を行うATM装置であって、
前記ATM網の仮想通信チャネルに障害が生じた場合に使用する、非ATM網による通信路を前記通信相手装置との間に設定する手段と、
前記ATM網の記仮想通信チャネルに障害が生じた場合に、前記通信路上に、当該通信路をATMセルの伝送路と見なして設定するバックアップ用の仮想通信チャネルの特性であるバックアップ接続情報であって、当該バックアップ用の仮想通信チャネルのVP/VCのVPI（Virtual Path Identifier）/VCI（Virtual Chanel Identifier）と、当該バックアップ用の仮想通信チャネルの帯域と、当該仮想通信チャネルのサービスクラスのうちの少なくとも一つを含むバックアップ接続情報を、前記通信相手装置に前記通信路を介して送信し、前記通信相手装置からの、前記バックアップ接続情報に対し接続可否を示すバックアップ接続応答情報を受信するバックアップ手段と、
前記バックアップ接続応答情報が接続可を示す場合、前記通信相手装置との通信を行う仮想通信チャネルを、前記障害が生じた通信チャネルから、前記通信路上の決定した特性のバックアップ用の仮想通信チャネルに切り替える手段と、
前記バックアップ接続応答情報が接続不可を示す場合、前記バックアップ接続情報の代替案を作成し、当該代替案のバックアップ接続情報を前記通信相手装置に送信する代替案送信手段と、を有すること
を特徴とするATM装置。
【請求項２】
請求項１記載のATM装置であって、
前記ATM装置は、１または複数の端末を収容し、収容した各端末と、当該端末の通信に対して設定した前記仮想通信チャネルとの間のデータの中継を行うATM装置であり、
当該ATM装置は、前記端末の通信に使用する障害が生じたATM網の仮想チャネルごとに、前記通信路上にバックアップ用の仮想通信チャネルを設定すること
を特徴とするATM装置。
【請求項３】
請求項１または２記載のATM装置であって、前記非ATM網はISDNであることを特徴とするATM装置。
【請求項４】
ATM（Asynchronous Transfer Mode）網のVP（Virtual Path）/VC（Virtual Chanel）による仮想通信チャネルを、非ATM網による通信路を用いてバックアップする方法であって、
前記ATM網による仮想通信チャネルで通信を行う装置において、前記ATM網の仮想通信チャネルに障害が生じた場合に使用する、非ATM網による通信路を、前記ATM網の仮想通信チャネルを用いて通信を行う通信相手装置との間に設定するステップと、
前記ATM網による仮想通信チャネルで通信を行う装置において、前記ATM網の記仮想通信チャネルに障害が生じた場合に、前記通信路上に、当該通信路をATMセルの伝送路と見なして設定するバックアップ用の仮想通信チャネルの特性であるバックアップ接続情報であって、当該バックアップ用の仮想通信チャネルのVP/VCのVPI（Virtual Path Identifier）/VCI（Virtual Chanel Identifier）と、当該バックアップ用の仮想通信チャネルの帯域と、当該仮想通信チャネルのサービスクラスのうちの少なくとも一つを含むバックアップ接続情報を、前記通信相手装置に前記通信路を介して送信し、前記通信相手装置からの、前記バックアップ接続情報に対し接続可否を示すバックアップ接続応答情報を受信するバックアップステップと、
前記バックアップ接続応答情報が接続可を示す場合、前記ATM網による仮想通信チャネルで通信を行う装置において、前記通信相手装置との間で通信を行う仮想通信チャネルを、前記障害が生じた通信チャネルから、前記通信路上の決定した特性のバックアップ用の仮想通信チャネルに切り替えるステップと、
前記バックアップ接続応答情報が接続不可を示す場合、前記バックアップ接続情報の代替案を作成し、当該代替案のバックアップ接続情報を前記通信相手装置に送信する代替案送信ステップと、を有すること
を特徴とする方法。
【発明の詳細な説明】
【０００１】
【発明の属する技術分野】
本発明は、ATM（Asynchronous Transfer Mode）網による仮想通信チャネルを、非ATM回線を利用してバックアップする技術に関するものである。
【０００２】
【従来の技術】
PVC（Permanent Virtual Chnnel）によって固定的に設定したATM網のVP（Virtual Path）/VC（Virtual Chanel）による仮想通信チャネルを用いて通信を行う装置における、仮想通信チャネル障害時のバックアップの技術としては、ISDN回線上に当該ISDN回線をATMセルの伝送路と見なしてVP/VCによる仮想通信チャネルを設定し、これを障害が生じた仮想通信チャネルに代えて用いる技術が知られている。
【０００３】
このような技術では、予めPVC（Permanent Virtual Connection）によって固定的に設定したVP/VCによる仮想通信チャネルで通信を行う両装置に、バックアップ時に使用するISDN回線上の仮想通信チャネルのVP/VCを識別するためのVPI（Virtual Path Identifier）/VCI（Virtual Chanel Identifier）や帯域やサービスクラスを、バックアップ構成情報として予め設定しておく。バックアップ時に際して、両装置は、自装置に設定されたバックアップ構成情報にしたがい、ISDN回線上の仮想通信チャネルを用いて通信を行う。
【０００４】
【発明が解決しようとする課題】
しかしながら、前記従来の技術を、たとえば、複数のISDN回線などの非ATM網による複数の通信チャネルとATM網のVP/VCによる仮想通信チャネルとの間の中継を行うATM CLADなどのATM多重化装置に適用する場合、ATM多重化装置が平常時に使用しているPVCによる仮想通信チャネルは多数となるため、各仮想通信チャネル毎に、各仮想通信チャネルによる通信の相手装置に設定するバックアップ構成情報と整合するように上記バックアップ接続情報を設定することの負担が過大となることがある。
【０００５】
また、バックアップ実行時に、両者が行っている通信をバックアップしようとする２装置のうちのいずれか一方でも、バックアップ構成情報通り動作できない状態にあるときには、当該両装置間の通信のバックアップを行うことができなくなってしまう。
【０００６】
そこで、本発明は、非ATM回線上に設定する仮想通信チャネルの詳細な情報を予め設定することなしに、ATM網の仮想通信チャネルの非ATM回線を用いた適正なバックアップを行うことを可能とすることを課題とする。
【０００７】
【課題を解決するための手段】
前記課題達成のために、本発明は、たとえば、ATM（Asynchronous Transfer Mode）網のVP（Virtual Path）/VC（Virtual Chanel）による仮想通信チャネルを用いて通信相手装置と通信を行うATM装置であって、
前記ATM網の仮想通信チャネルに障害が生じた場合に使用する、非ATM網による通信路を前記通信相手装置との間に設定する手段と、
前記ATM網の記仮想通信チャネルに障害が生じた場合に、前記通信路上に、当該通信路をATMセルの伝送路と見なして設定するバックアップ用の仮想通信チャネルの特性であるバックアップ接続情報であって、当該バックアップ用の仮想通信チャネルのVP/VCのVPI（Virtual Path Identifier）/VCI（Virtual Chanel Identifier）と、当該バックアップ用の仮想通信チャネルの帯域と、当該仮想通信チャネルのサービスクラスのうちの少なくとも一つを含むバックアップ接続情報を、前記通信相手装置に前記通信路を介して送信し、前記通信相手装置からの、前記バックアップ接続情報に対し接続可否を示すバックアップ接続応答情報を受信するバックアップ手段と、
前記バックアップ接続応答情報が接続可を示す場合、前記通信相手装置との通信を行う仮想通信チャネルを、前記障害が生じた通信チャネルから、前記通信路上の決定した特性のバックアップ用の仮想通信チャネルに切り替える手段と、
前記バックアップ接続応答情報が接続不可を示す場合、前記バックアップ接続情報の代替案を作成し、当該代替案のバックアップ接続情報を前記通信相手装置に送信する代替案送信手段と、を有すること
を特徴とするATM装置を提供する。
【０００８】
このようなATM装置によれば、バックアップ用の仮想チャネルの特性を、バックアップ実行時にバックアップする通信を行うATM装置間で交渉してして決定するので、あらかじめ、バックアップ用の仮想チャネルの特性を示す各種情報をバックアップ構成情報として各ATM装置に、通信を行う装置間で整合するように設定しておかなくても、適正に、非ATM網による通信路を用いてバックアップを実現することができるようになる。
【０００９】
【発明の実施の形態】
以下、本発明の実施形態について説明する。
【００１０】
図１に、本実施形態に係る通信システムの構成を示す。
【００１１】
図示するように、本通信システムは、１または複数の端末10を収容するATM多重化装置20を、複数のATMスイッチ30よりなるATM網に接続した構成を有している。また、各ATM多重化装置20と各ATMスイッチ30がISDN網40に接続した構成を有している。
【００１２】
ここで、ATM網とATM多重化装置20との間のインタフェースは、ATM網に従ったユーザ網インタフェースである。一方、端末10とATM多重化装置20との間のインタフェースは、ATM網に従ったユーザ網インタフェースや、ISDNのユーザ網インタフェースや、TCP/IPインタフェースなどの任意のインタフェースであってよい。
【００１３】
次に、ATM多重化装置20の構成を図２に示す。
【００１４】
図示するように、ATM多重化装置20は、端末側回線インタフェース210と、ATM網インタフェース220と、ISDN回線インタフェース230と、バックアップ制御部240と、ATMバス250とを有している。
【００１５】
このような構成において、平常時には、各端末側回線インタフェース210が収容する回線を介して端末10から受信したデータは、対応する端末インタフェース210において、その端末の通信に対してPVCにより設定してあるVP/VCのVCI/VPIのATMヘッダが付されたATMセルのペイロードに格納され、ATMバス250およびATM網インタフェース220を介して、ATM網インタフェース220に接続するATMスイッチ30に送信される。一方、ATMスイッチ30からATM網インタフェース220が受信したATMセルは、そのATMヘッダのVCI/VPIが、収容する端末10の通信に対してPVCにより設定してあるVP/VCのVCI/VPIである場合には、ATMバス250を介して、その端末10が接続する端末インタフェース210に送られる。端末インタフェース210では、受け取ったATMセルのペイロードからデータを抽出し、端末10に送信する。
【００１６】
一方、あるPVCにより設定してあるVP/VCのバックアップ動作時には、バックアップ制御部240は、ISDN回線インタフェース230が収容するISDN回線上に、特定のVCI/VPIによって識別されるバックアップ用の仮想通信チャネルを設定する。また、各部を制御し、以下の動作が行われるようにする。
【００１７】
すなわち、バックアップするVP/VCを用いていた端末10に接続する端末側回線インタフェース210が、その端末10から受信したデータは、端末側回線インタフェース210において、バックアップ用のVP/VCのVCI/VPIのATMヘッダが付されたATMセルのペイロードに格納され、ATMバス250およびISDN回線インタフェース230を介して、ISDN回線インタフェース230が収容するISDN回線に送信される。一方、ISDN回線インタフェース230が収容するISDN回線から受信したATMセルは、そのATMヘッダのVCI/VPIが、バックアップ用のVP/VCのVCI/VPIである場合には、ATMバス250を介して、そのバックアップ用のVP/VCによってバックアップするVP/VCを用いていた端末10が接続する端末インタフェース210に送られる。端末インタフェース210では、受け取ったATMセルのペイロードからデータを抽出し、端末10に送信する。
【００１８】
次に、ATMスイッチ30の構成を図３に示す。
【００１９】
図示するように、ATMスイッチ30は、ATM伝送路収容インタフェース310と、ISDN回線インタフェース320と、スイッチ330と、バックアップ制御部340とを有している。
【００２０】
平常時、各ATM伝送路収容インタフェース310がATM多重化装置20または他のATMスイッチ30との間の伝送路であるATM伝送路から受け取ったATMセルは、スイッチ330において、そのATMヘッダのVCI/VPIが示すVP/VCの経路に従って定まる、いずれかのATM伝送路収容インタフェース310にスイッチされ、そのATM伝送路収容インタフェース310よりATM伝送路に送信される。
【００２１】
一方、バックアップ動作時には、バックアップ制御部340は、ISDN回線インタフェース320が収容するISDN回線上に、特定のVCI/VPIによって識別されるバックアップ用の仮想通信チャネルを設定する。また、各部を制御し、以下の動作が行われるようにする。
【００２２】
すなわち、ATM伝送路インタフェース210が受信した、バックアップするVP/VCのVPI/VCIをATMヘッダに持つATMセルは、そのVP/VCのバックアップ用のVP/VCのVCI/VPIに、ATMヘッダのVPI/VCIが変換され、スイッチ330を介して、バックアップ用のVP/VCを設定したISDN回線を収容するISDN回線インタフェース230に送られ、ISDN回線に送信される。一方、ISDN回線インタフェース230がISDN回線から受信したATMセルは、そのATMヘッダのVCI/VPIが、バックアップ用のVP/VCのVCI/VPIである場合には、バックアップするVP/VCのVPI/VCIに、ATMヘッダのVCI/VPIが変換され、スイッチ330を介して、そのバックアップ用のVP/VCによってバックアップするVP/VCがそれまでスイッチされていたATM伝送路インタフェース210に送られ、ATM伝送路に送信される。
【００２３】
ただし、以上の動作において、スイッチ330のスイッチ前とスイッチ後では、バックアップするVP/VCのVPI/VCIは異なっていてよい。ATM網は、一つのVP/VCを、部分毎（この場合はATMスイッチで区切られる各部分毎）に異なるVPI/VCIで示すことを許容しているからである。
【００２４】
以下、このような通信システムにおいて、ATM多重化装置20のバックアップ制御部240と、ATMスイッチ30のバックアップ制御部340が行うバックアップ用の仮想通信チャネルの設定動作の詳細について説明する。
【００２５】
まず、ATMスイッチ30のバックアップ制御部340が行うバックアップ用の仮想通信チャネルの設定動作の詳細について説明する。
【００２６】
いま、図１のATM多重化装置AとATMスイッチAの間の伝送路に障害が生じたものとする。
【００２７】
この場合ATMスイッチAのバックアップ制御部340は、この障害を認識したならば、ISDN回線インタフェース320を制御し、ATM多重化装置Aとの間のISDN回線を確立させる。そして、ATM多重化装置Aに、障害が生じた伝送路上の各VP/VCのVPI/VCIと、そのバックアップ用にISDN回線上に設定するVP/VCのVPI/VCIや帯域やサービスクラスを、バックアップ接続情報とし、これを格納した独自の接続制御用のATMセルを、確立したISDN回線を用いて通知する。
【００２８】
一方、ATM多重化装置Aにおいて、ISDN回線インタフェース230を介して、バックアップ接続情報を受け取ったバックアップ制御部240は、受け取ったバックアップ接続情報が示すバックアップ用のVP/VCのVPI/VCIや帯域やサービスクラスのバックアップ用のVP/VCの設定を受け入れ可能であれば、接続可を示すバックアップ接続応答情報を作成し、これを格納した独自の接続制御用のATMセルを、確立したISDN回線を用いてATMスイッチAに通知すると共に、バックアップ接続情報で通知されたバックアップするVP/VCについての、バックアップ接続情報で通知されたバックアップ用のVP/VCによる前述したバックアップ動作の制御を開始する。
【００２９】
また、ATMスイッチAでも、接続可を示すバックアップ接続応答情報をISDN回線インタフェース320を介して受け取ったならば、バックアップ制御部340は、バックアップ接続応答情報で接続可を通知されたバックアップ接続情報で通知したバックアップするVP/VCについての、バックアップ接続情報で通知したバックアップ用のVP/VCによる前述したバックアップ動作の制御を開始する。
【００３０】
これにより、ATM多重化装置AとATMスイッチA間のATM伝送路に代えて、ATM多重化装置AとATMスイッチA間に確立したISDN回線を用いるバックアップが実現されることになる。
【００３１】
次に、ATM多重化装置20のバックアップ制御部240が行うバックアップ用の仮想通信チャネルの設定動作の詳細について説明する。
【００３２】
ATM多重化装置20のバックアップ制御部240は、以上のATMスイッチ30のバックアップ制御部340の動作によってバックアップが実現できなかった場合、たとえば、バックアップ接続応答情報でATMスイッチ30に接続不可を通知した場合に、以下の、バックアップ用の仮想通信チャネルの設定動作を行う。
【００３３】
いま、先程と同様に、図１のATM多重化装置AとATMスイッチAの間の伝送路に障害が生じ、かつ、ATM多重化装置AとATMスイッチA間に確立したISDN回線を用いるバックアップを実現できなかた場合を例にとる。また、平常時には、図１のATM多重化装置Aが収容する端末AがATM多重化装置Bが収容する端末Dと、ATM多重化装置Aが収容する端末BがATM多重化装置Bが収容する端末Dと、ATM多重化装置Aが収容する端末CがATM多重化装置Cが収容する端末Gと、ATM多重化装置Bが収容する端末FがATM多重化装置Cが収容する端末Hとが、それぞれ、PVCによるVP/VCで通信を行っているものとする。
【００３４】
この場合、ATM多重化装置Aのバックアップ制御部240は、自装置が収容する各端末A、Bについて、図４に示す処理を行う。
【００３５】
すなわち、まず、ISDN回線インタフェース230を制御し、収容する各端末A、B、Cが通信を行っている端末D、E、Gが収容されている各ATM多重化装置B、Cとの間のISDN回線を、それぞれ確立させる（ステップ401）。以下、このISDN回線の相手となるATM多重化装置B、Cを相手ATM多重化装置と呼ぶ
次に、ISDN回線を確立した各相手ATM多重化装置B、Cそれぞれについて（ステップ407）、以下のステップ402〜406の処理を行う。
【００３６】
すなわち、相手ATM多重化装置が収容する端末と通信を行っている自身が収容する端末と、その端末が使用していたPVCによるVP/VCについて、バックアップ用にISDN回線上に設定するVP/VCのVPI/VCIや帯域やサービスクラスを、バックアップ接続情報とし、これを格納した独自の接続制御用のATMセルを、確立したISDN回線を用いて通知する（ステップ402）。
【００３７】
そして、送信したバックアップ接続情報に対するバックアップ接続応答情報を格納した独自の接続制御用のATMセルを、確立したISDN回線から受信したならば（ステップ403）、その内容が接続可であるかどうかを調べる（ステップ404）。そして、接続不可であるならば、バックアップ用にISDN回線上に設定するVP/VCのVPI/VCIや帯域やサービスクラスの代替案を作成可能かどうかを判定し（ステップ406）、作成可能であれば、ステップ402に戻って代替案によるバックアップ接続情報を相手ATM多重化装置に送信し、代替案が作成可能でなければ、次の相手ATM多重化装置についての処理に進む。
【００３８】
一方、ステップ404で、バックアップ接続応答情報が接続可であるならば、送信したバックアップ接続情報に従って、バックアップ接続情報で通知した端末が使用していたPVCのVP/VCのバックアップ用に、バックアップ接続情報で通知したバックアップ用のVP/VCをISDN回線上に設定するための切替情報を作成する（ステップ405）。
【００３９】
そして、全ての相手ATM多重化装置について以上のステップ402〜406の処理を終了したならば、それまでに作成した切替情報に従ってバックアップ用のVP/VCをISDN回線上に設定し、バックアップ接続情報で通知した端末が使用していたPVCによるVP/VCについての、設定したバックアップ用のVP/VCを用いた前述したバックアップ動作の制御を開始する（ステップ408）。
【００４０】
一方、バックアップ接続情報をISDN回線から受信した相手ATM多重化装置は、図５の処理を行う。
【００４１】
すなわち、バックアップ接続情報を受信したならば（ステップ501）、以下の処理を行う。
【００４２】
まず、バックアップ接続情報が示す端末の通信相手が自装置が収容する端末が通信を行っている端末であって（ステップ502）、バックアップ接続情報で通知された端末の通信相手である自装置が収容する端末について、受け取ったバックアップ接続情報が示すバックアップ用のVP/VCのVPI/VCIや帯域やサービスクラスのバックアップ用のVP/VCの設定を受け入れ可能であれば（ステップ503）、接続可を決定すると共に、受信したバックアップ接続情報に従って、バックアップ接続情報で通知された端末の通信相手の自装置が収容する端末が使用していたPVCのVP/VCのバックアップ用に、バックアップ接続情報で通知されたバックアップ用のVP/VCをISDN回線上の設定するための切替情報を作成する（ステップ504）。一方、他の場合は、接続不可を決定する（ステップ505）。
【００４３】
そして、決定した接続可もしくは接続不可を示す情報を含めたバックアップ接続応答情報を格納した独自の接続制御用のATMセルと、ISDN回線を介してバックアップ接続情報を送信したATM多重化装置に通知する（ステップ506）。
【００４４】
そして、それまでに作成した切替情報に従ってバックアップ用のVP/VCをISDN回線上に設定し、バックアップ接続情報で通知された端末の通信相手の自装置が収容する各端末が使用していたPVCによるVP/VCについての、設定したバックアップ用のVP/VCを用いた前述したバックアップ動作の制御を開始する（ステップ507）。
【００４５】
以上の処理によって、この例では、図１のATM多重化装置Aが収容する端末AがATM多重化装置Bが収容する端末Dと、ATM多重化装置Aが収容する端末BがATM多重化装置Bが収容する端末Dと、ATM多重化装置Aが収容する端末CがATM多重化装置Cが収容する端末G間の通信について、ATM網に代えてISDN回線を用いたバックアップが実現されることになる。
【００４６】
なお、実際は、以上の図４、５の処理による、バックアップ接続情報とバックアップ接続応答情報によるバックアップ用のVP/VCの設定および設定可否の決定は、バックアップ接続情報、バックアップ接続応答情報毎ではなく、バックアップ接続情報に含まれる端末毎すなわち、バックアップの対象となるPVCによるVP/VC毎に個々に行うようにする。
【００４７】
さて、以上の図４、図５の処理によって、図１のATM多重化装置Aが収容する端末AがATM多重化装置Bが収容する端末Dと、ATM多重化装置Aが収容する端末BがATM多重化装置Bが収容する端末Dと、ATM多重化装置Aが収容する端末CがATM多重化装置Cが収容する端末G間の通信について、ATM網に代えてISDN回線を用いたバックアップが実現された状態において、ATM多重化装置BとATMスイッチBの間のATM伝送路に障害が生じた場合を考える。
【００４８】
この場合は、前述したようにATMスイッチBのバックアップ制御部340より、ATMスイッチBとATM多重化装置B間にISDN回線が確立され、ATM多重化装置Bに、ATM多重化装置Bが収容する端末D、E、Fが使用していたPVCによるVP/VCについてのバックアップ接続情報が送信される。
【００４９】
しかし、この時点において、端末D、Eについては、ISDN回線によるバックアップが既に行われている。そこで、このような場合、ATM多重化装置Bのバックアップ制御部240は、バックアップを行っていない端末FのPVCによるVP/VCについてのみ、接続可を表すバックアップ接続応答情報をATMスイッチBに返信するようにする。そして、TMスイッチBとATM多重化装置Bにおいて、この端末FのPVCによるVP/VCについてのみ前述したバックアップ動作を行うようにする。
【００５０】
以下、以上のようなバックアップ接続情報と、バックアップ接続応答情報の伝送に用いることのできるデータフォーマット例について示す。
【００５１】
図６に示すように、ATMセルは５オクテットのATMヘッダと４８オクテットのペイロードよりなる。本実施形態では、バックアップ接続情報と、バックアップ接続応答情報の伝送に用いる独自の接続制御用のATMセルについては、ATMヘッダのPT（ペイロードタイプ）を特定の値とすることにより、ATMヘッダより独自の接続制御用のATMセルを識別可能とする。そして、バックアップ接続情報と、バックアップ接続応答情報は、ペイロードに格納する。
【００５２】
図７は、ペイロードに格納するバックアップ接続情報を示したものである。
【００５３】
図示するように、バックアップ接続情報は、送信元の装置を示す自装置IDと、バックアップの対象となるVP/VC毎の接続情報よりなる。各VP/VC毎の接続情報には、ATM多重化装置20が送信元の場合に設定される自装置が収容する通信をバックアップする端末を表すバックアップ対象端末番号と、ATMスイッチが送信元の場合に設定されるバックアップするVP/VCのVPI/VCIを表す通常通信時VPI/VCIと、送信元にかかわらず含まれる設定するバックアップ用のVP/VCのVPI/VCIを表すバックアップVPI/VCIと、送信元にかかわらず含まれる設定するバックアップ用のVP/VCの帯域を表す通信速度と、設定するバックアップ用のVP/VCのサービスクラスを表す通信種別が含まれる。
【００５４】
次に、図８は、ペイロードに格納するバックアップ接続応答情報を示したものである。
【００５５】
図示するように、バックアップ接続応答情報は、送信元の装置を示す自装置IDと、バックアップの対象となるVP/VC毎の接続応答情報よりなる。VP/VC毎の接続応答情報は、接続の可否を表す接続可否フラグと、接続不可の理由を示す接続不可理由が含まれる。
【００５６】
ここで、接続不可理由には、接続を受け入れることのできるVP/VCのVPI/VCIや帯域やサービスクラスの情報を含めるようにし、接続不可のバックアップ接続応答情報を受け取ったATM多重化装置は、この情報に応じて前記代替案を作成するようにしてもよい。
【００５７】
以上、本発明の実施形態について説明した。
【００５８】
以上のように、本実施形態によれば、バックアップ用のVP/VCを識別するためのVPI/VCIや帯域やサービスクラスをバックアップ実行時にバックアップする通信を行う装置間でネゴシエーションして決定するので、あらかじめ、バックアップ用のVP/VCを識別するためのVPI/VCIや帯域やサービスクラスをバックアップ構成情報として各装置に、ATMの通信を行う装置間で整合するように設定しておかなくても適正にISDN回線を用いてバックアップを実現することができる。具体的には、本実施形態に係るATM多重化装置は、自装置が収容する各端末が通信を行っている通信相手の端末と、当該通信相手の端末が収容されるATM多重化装置の情報と、バックアップ用のVP/VCのVPI/VCIや帯域やサービスクラスをどのように、または、どのような優先順序で設定するかのポリシーのみを有していれば足りる。
【００５９】
なお、以上の実施形態においてバックアップに用いるISDN回線は、バックアップ時に呼制御により確立するものでなくても、常時、確立しておくものとしてもよい。また、専用線であってももよい。
【００６０】
また、以上の実施形態におけるバックアップに用いる通信路としては、ISDN回線以外の通信網または通信路を用いてもよい。
【００６１】
【発明の効果】
以上のように、本発明によれば、非ATM回線上に設定する仮想通信チャネルの詳細な情報を予め設定することなしに、ATM網の仮想通信チャネルの非ATM回線を用いた適正なバックアップを行うことを可能とすることができる。
【図面の簡単な説明】
【図１】本発明の実施形態に係る通信システムの構成を示すブロック図である。
【図２】本発明の実施形態に係るATM多重化装置の構成を示すブロック図である。
【図３】本発明の実施形態に係るATMスイッチの構成を示すブロック図である。
【図４】本発明の実施形態に係るバックアップ起動側のATM多重化装置の行う処理を示すフロー図である。
【図５】本発明の実施形態に係るバックアップ被起動側のATM多重化装置の行う処理を示すフロー図である。
【図６】  ATMセルの構成を示す図である。
【図７】本発明の実施形態に係るバックアップ接続情報を示す図である。
【図８】本発明の実施形態に係るバックアップ接続応答情報を示す図である。
【符号の説明】
10…端末
20…ATM多重化装置
30…ATMスイッチ
40…ISDN網
210…端末側回線インタフェース
220…ATM網インタフェース
230、320…ISDN回線インタフェース
240、340…バックアップ制御部
250…ATMバス
310…ATM伝送路収容インタフェース
330…スイッチ
【図１】
0004323042.tif 000002
【図２】
0004323042.tif 000003
【図３】
0004323042.tif 000004
【図４】
0004323042.tif 000005
【図５】
0004323042.tif 000006
【図６】
0004323042.tif 000007
【図７】
0004323042.tif 000008
【図８】
0004323042.tif 000009